(57)【要約】【課題】レンズ装置の可動光学素子の位置と操作位置との対応関係が複数種類ある場合でも、所望の光学素子の位置にするためにどのくらい操作部材を操作すればよいかを認識できるレンズシステム等を提供する。【解決手段】レンズシステムは、変位することで光学物理量を変更する可動光学素子１０と、可動光学素子を操作する操作部材１１、３０と、操作部材の操作位置を検出する検出手段１２、３１と、光学物理量と操作位置とを対応づけた１つ以上の指標情報を含む組を生成する指標情報生成手段１８と、を有する。指標情報生成手段１８は、複数種類の操作部材１１、３０のそれぞれに応じて、前記組を生成する。【選択図】  図１
2019095617.tif 000002
【特許請求の範囲】
【請求項１】
変位することで光学物理量を変更する可動光学素子と、前記可動光学素子を操作する操作部材と、前記操作部材の操作位置を検出する検出手段と、前記光学物理量と前記操作位置とを対応づけた１つ以上の指標情報を含む組を生成する指標情報生成手段と、を有し、
前記指標情報生成手段は、複数種類の前記操作部材のそれぞれに応じて、前記組を生成することを特徴とするレンズシステム。
【請求項２】
前記指標情報生成手段で生成した前記１つ以上の指標情報を含む組を外部の表示装置に送信する送信手段を有することを特徴とする請求項１に記載のレンズシステム。
【請求項３】
前記光学物理量に対応する前記操作位置の対応関係を、異なる対応関係の間で、決定する変更手段を有し、
前記指標情報生成手段は、前記変更手段で決定した前記対応関係に応じて、前記１つ以上の指標情報を含む組を生成することを特徴とする請求項１または２に記載のレンズシステム。
【請求項４】
複数種類の前記操作部材から有効な操作部材を１つ決定する決定手段を有し、
前記指標情報生成手段は、前記決定手段で決定した前記有効な操作部材に応じて前記１つ以上の指標情報を含む組を生成することを特徴とする請求項１から３のいずれか一項に記載のレンズシステム。
【請求項５】
前記検出手段は、複数種類の前記操作部材のそれぞれの操作位置を検出する複数の検出手段を含むことを特徴とする請求項１から４のいずれか一項に記載のレンズシステム。
【請求項６】
前記可動光学素子と前記指標情報生成手段と第１の通信手段を含むレンズ装置と、
前記操作部材と、前記検出手段と、前記第１の通信手段と通信を行う第２の通信手段と、を含む操作装置と、
を有し、
前記レンズ装置は、１つ以上の前記光学物理量を記憶する記憶手段と、前記操作装置から前記１つ以上の光学物理量にそれぞれ対応する１つ以上の前記操作位置を取得する操作位置取得手段と、を有し、
前記指標情報生成手段は、前記記憶手段に記憶した１つ以上の前記光学物理量と、前記操作位置取得手段で取得した１つ以上の前記操作位置に基づいて、前記１つ以上の指標情報を含む組を生成することを特徴とする請求項１から５のいずれか一項に記載のレンズシステム。
【請求項７】
前記操作位置取得手段は、異なる前記操作装置に応じて、異なる手法を用いて前記操作位置を取得することを特徴とする請求項６に記載のレンズシステム。
【請求項８】
前記操作位置取得手段は、異なる前記操作装置に対して、同様の手法を用いて前記操作位置を取得することを特徴とする請求項６に記載のレンズシステム。
【請求項９】
前記操作部材は、制限された可動範囲を有することを特徴とする請求項１から８のいずれか一項に記載のレンズシステム。
【請求項１０】
前記操作部材は、無限の可動範囲を有し、
前記指標情報生成手段は、全域設定に応じて決まる最大値と最小値で制限して前記操作部材の操作位置を扱うことを特徴とする請求項１から８のいずれか一項に記載のレンズシステム。
【請求項１１】
前記可動光学素子は、フォーカスレンズとズームレンズとアイリスとのうちの１つであることを特徴とする請求項１から１０のいずれか一項に記載のレンズシステム。
【請求項１２】
請求項１から１１のいずれか一項に記載のレンズシステムと、前記１つ以上の指標情報を含む組に基づいて描画情報を生成する描画情報生成手段と、前記描画情報に基づいて表示を行う表示手段を有し、
前記描画情報生成手段は、前記１つ以上の指標情報を含む組に含まれる前記光学物理量に操作するための前記操作位置を視覚的に認識できるように描画情報を生成することを特徴とする撮影システム。
【請求項１３】
前記描画情報生成手段は、前記検出手段で検出した前記操作部材の現在の操作位置に基づいて、現在の操作位置を視覚的に認識できるように描画情報を生成すること特徴とする請求項１２に記載の撮影システム。
【請求項１４】
前記描画情報生成手段は、前記操作部材の操作軸を視覚的に認識できるように描画情報を生成すること特徴とする請求項１２または１３に記載の撮影システム。
【請求項１５】
請求項１から１１のいずれか一項に記載のレンズシステムから、前記光学物理量と前記操作位置とを対応づけた１つ以上の指標情報を含む組を受信する受信手段と、前記１つ以上の指標情報を含む組に基づいて描画情報を生成する描画情報生成手段と、前記描画情報に基づいて表示を行う表示手段を有することを特徴とする表示装置。
【請求項１６】
前記描画情報生成手段は、前記１つ以上の指標情報を含む組に含まれる前記光学物理量に操作するための前記操作位置を視覚的に認識できるように描画情報を生成することを特徴とする請求項１５に記載の表示装置。
【請求項１７】
前記描画情報生成手段は、前記検出手段で検出した前記操作部材の現在の操作位置に基づいて、現在の操作位置を視覚的に認識できるように描画情報を生成すること特徴とする請求項１５または１６に記載の表示装置。
【請求項１８】
前記描画情報生成手段は、前記操作部材の操作軸を視覚的に認識できるように描画情報を生成すること特徴とする請求項１６または１７に記載の表示装置。
【請求項１９】
レンズ装置において可動光学素子が変位することで変更される光学物理量と、前記可動光学素子を操作する操作部材の操作位置と、を対応づけた対応関係を決定するステップと、
前記決定された対応関係に応じた、前記光学物理量と前記操作位置とを対応づけた１つ以上の指標情報を含む組を生成するステップと、
前記生成された前記１つ以上の指標情報を含む組に基づいて描画情報を生成するステップと、
前記描画情報に基づいて、前記１つ以上の指標情報を含む組に含まれる前記光学物理量に操作するための前記操作位置を視覚的に認識できるように表示を行うステップと、
を有すること特徴とするレンズ装置の可動光学素子の指標情報の表示方法。
【発明の詳細な説明】
【技術分野】
【０００１】
本発明は、レンズ装置を含むレンズシステム、撮影システム、レンズ装置の可動光学素子の指標情報の表示方法などに関する。特に、操作部材により操作されるズームレンズ、フォーカスレンズ、アイリス等の可動光学素子を有するレンズ装置を含むレンズシステム、撮影システム、レンズ装置における可動光学素子の指標情報の表示方法、等に関する。
【背景技術】
【０００２】
静止画や動画を撮影するレンズシステムは、操作者が撮影条件を把握しやすいように焦点距離、物体距離、アイリス値等を表示部に表示し、操作者はそれを見ながら所望の撮影条件になるように操作している場合が多い。しかし、表示方法は、焦点距離、物体距離、アイリス値をそのまま数値として表示していたり、正規化した表示であるバー表示等を用いて表示したりしていた。そのため、操作者が所望の物体距離に操作する場合に、操作部材をどのくらい操作してよいかは視覚的に認識することが容易ではなかった。
【０００３】
こうした課題に対して、特許文献１では、物体距離と、その物体距離に対応する操作部材の実際の操作位置を認識できるような表示を表示部に行わせる技術が開示されている。
【先行技術文献】
【特許文献】
【０００４】
【特許文献１】特開２０１２−１７７９２９号公報
【発明の概要】
【発明が解決しようとする課題】
【０００５】
しかしながら、上述の特許文献１に開示された技術では、同一の光学素子を駆動するのに操作部材が複数種類ある場合などに起こり得る、光学素子の位置とそれに対応する操作部材の操作位置との関係が変化することを想定していない。そのため、光学素子の位置と操作部材の操作位置の関係が１パターン（１種類）である場合しか効果が得られないことになる。
【課題を解決するための手段】
【０００６】
上記課題に鑑み、本発明の一側面によるレンズシステムは、変位することで光学物理量を変更する可動光学素子と、前記可動光学素子を操作する操作部材と、前記操作部材の操作位置を検出する検出手段と、前記光学物理量と前記操作位置とを対応づけた１つ以上の指標情報を含む組を生成する指標情報生成手段と、を有する。前記指標情報生成手段は、複数種類の前記操作部材のそれぞれに応じて、前記組を生成する。
【発明の効果】
【０００７】
本発明によれば、可動光学素子の位置と操作部材の操作位置との対応関係が複数種類ある場合においても、所望の可動光学素子の位置にするためにどのくらい操作部材を操作すればよいかを認識し易くできる。
【図面の簡単な説明】
【０００８】
【図１】実施例１、２の構成ブロック図。
【図２】実施例１の操作装置のＣＰＵ３４の全体処理のフローチャート。
【図３】実施例１、２のレンズ装置のＣＰＵ１８の全体処理のフローチャート。
【図４】実施例１における指標表示情報の生成方法を示す表。
【図５】実施例１のレンズ装置のＣＰＵ１８における受信処理のフローチャート。
【図６】実施例１におけるフォーカスノブ位置とフォーカス指令位置の関係を示す図。
【図７】実施例１、２、３のカメラのＣＰＵ２５の全体処理のフローチャート。
【図８】マニュアル状態およびサーボ状態における指標表示を示した図。
【図９】実施例１の変形例の構成ブロック図。
【図１０】実施例２の操作装置のＣＰＵ３４の全体処理のフローチャート。
【図１１】実施例２のフォーカスノブ位置とフォーカス相対指令位置の関係を示す図。
【図１２】実施例２における指標表示情報更新時の送受信情報を示した図。
【図１３】実施例２、３における指標表示情報の生成方法を示す表。
【図１４】実施例２、３のレンズ装置のＣＰＵ１８における受信処理のフローチャート。
【図１５】実施例３の構成ブロック図。
【図１６】実施例３の操作装置のＣＰＵ３４の全体処理のフローチャート。
【図１７】実施例３のレンズ装置のＣＰＵ１８の全体処理のフローチャート
【発明を実施するための形態】
【０００９】
本発明の一側面によるレンズ装置を含むレンズシステムでは、変位することで光学物理量を変更する可動光学素子を操作する操作部材と前記操作部材の操作位置を検出する検出手段を備える。そして、例えばＣＰＵにおける機能手段として実現される指標情報生成手段により、前記光学物理量と前記操作位置とを対応づけた１つ以上の指標情報を含む組を生成する。決定された対応関係に応じた１つ以上の指標情報を含む組は、例えば外部の表示装置に送信され、そこで描画情報に変換される。この描画情報に基づき、１つ以上の指標情報を含む組に含まれる前記光学物理量に操作するための操作位置が視覚的に認識できるように表示が行われる。光学物理量と操作位置との対応関係は、操作部材の変化によって変わるが、同じ操作部材であっても、後述するカーブモードなどのモードの変化によっても変わり得る。
【００１０】
このように、本発明の他の側面によるレンズ装置の可動光学素子の指標情報の表示方法では、光学物理量と操作部材の操作位置とを対応づけた対応関係を決定し、決定された対応関係に応じて光学物理量と操作位置とを対応づけた指標情報の組を生成する。そして、前記生成された１つ以上の指標情報を含む組に基づいて描画情報が生成され、描画情報に基づいて表示が行われる。
【００１１】
以下に、本発明の実施の形態である実施例１〜３を、添付の図面に基づいて詳細に説明する。ただし、本発明はこれらの実施例に限定されず、その要旨の範囲内で種々の変形、変更などが可能である。
【００１２】
（実施例１）
図１は、本発明を適用できる実施例１のレンズ装置を含むレンズシステムを有する撮影システムの構成を示したものである。本実施例の撮影システムは、レンズ装置１にカメラ２とフォーカス操作装置３が接続された構成になっている。
【００１３】
はじめにレンズ装置１について説明する。フォーカスレンズ群１０は、光軸方向に変位して光学物理量を変更することでレンズ装置１の結像位置を変位させる可動光学素子である。操作部材であるフォーカスリング１１は、フォーカスレンズ群１０を操作するための回転操作部材であり、回転することで機構的にフォーカスレンズ群１０を光軸方向に動かすことができる。本実施例では、フォーカスリング１１の回転範囲を規制する不図示の機構的な規制端があるものとする。また、フォーカスリング１１には基準位置を示す突起部が設けられており、操作者が触覚で基準位置を把握できるようにする。フォーカスリング位置検出器１２は、フォーカスリング１１の回転位置を検出するための操作位置検出手段である。フォーカスリング１１の回転位置とフォーカスレンズ群１０の位置は１対１になるように機構的に接続されているため、フォーカスリング位置検出器１２はフォーカスレンズ群１１の位置も検出していることになる。検出した位置信号は、フォーカスリング位置としてデジタル信号に変換され、ＣＰＵ１８に入力される。フォーカスリングの角度位置は、フォーカスリング１１の基準位置が鉛直上方向にある位置を０°として定義している。
【００１４】
フォーカスクラッチ１３は、フォーカスモータ１４の回転とフォーカスリング１１の回転とを連結したり、切り離したりするための機構で、フォーカスクラッチスイッチ１５にて切り替えることが可能である。連結されている状態をサーボ状態、切り離されている状態をマニュアル状態とし、どちらの状態であるかの信号はＣＰＵ１８に入力される。こうした切り替えの制御は、有効な操作部材を決定するＣＰＵ１８中の機能手段である操作部材決定手段により行われる。
【００１５】
フォーカスモータ１４はフォーカスリング１１を電動で駆動するためのモータであり、フォーカスモータ駆動回路１６を介してＣＰＵ１８により制御される。通信手段である通信回路１７は、カメラ２及びフォーカス操作装置３と通信を行うための回路である。レンズ装置１のＣＰＵ１８は、後述するソフトウェア処理によって、フォーカスモータ１４を制御したり、指標情報を表示するために必要な情報（本明細書では、指標表示情報と呼ぶ）を生成したりする。つまり、ＣＰＵ１８は指標表示情報を生成する生成手段を含み、指標表示情報は、上記光学物理量と上記操作部材の操作位置とを対応づけた１つ以上の指標情報を含む組を、各操作部材について、有する。操作部材が複数種類あれば、指標情報の組も複数種類あることになる。
【００１６】
次に、カメラ２について説明する。撮像素子２０は、レンズ装置１を通って結像した像を電気信号に変換する光電変換素子であり、変換された電気信号は映像信号生成部２２により映像情報に変換される。ビューファインダー２１は、映像の表示、及び、フォーカス操作に関する上記指標表示情報の表示を行うための表示部である。表示処理部２３は、映像信号生成部２２からは映像情報を取得し、ＣＰＵ２５からは上記指標表示情報の描画情報を取得して、ビューファインダー２１に表示するための信号を生成し、出力する。このために、ＣＰＵ２５は、後述するソフトウェア処理によって、通信回路２４を介してレンズ装置１から取得した情報から上記指標表示情報の描画情報を生成する。
【００１７】
次に、フォーカス操作装置３について説明する。フォーカスノブ３０は操作者がフォーカスレンズ群１０を操作するための操作部材である回転部材であり、フォーカスノブの回転位置は位置検出器３１によって検出され、デジタル信号に変換され、ＣＰＵ３４に入力される。フォーカスノブ３０には、操作者が回転操作しやすいように３つの棒が取り付けられており、このうち特定の１つの棒を基準位置として設定する。そして、この棒の基準位置が鉛直上方向にあるフォーカスノブ位置を０°として定義する。なお、本実施例ではフォーカスノブ３０の回転範囲を規制する機構的な規制端があるものとし、回転範囲が３６０°を超えても回転範囲全てにおいて各別の位置情報としてフォーカスノブ位置が検出できるものとする。
【００１８】
カーブモード選択スイッチ３２は、標準モードと無限側優先モードを切り替えるスイッチであり、スイッチの位置を示すスイッチ信号はフォーカス操作装置３のＣＰＵ３４に入力される。ＣＰＵ３４は後述するソフトウェア処理によって、レンズ装置１への送信情報を生成し、通信回路３３を介してレンズ装置１に送信する。なお、フォーカス操作装置３のフォーカスノブ３０は、フォーカスリング１１とは異なり、回転軸がレンズ装置１の光軸に平行な軸ではなく、光軸に垂直かつ水平面に平行な軸を当該回転軸として操作者は操作するものとする。
【００１９】
ソフトウェア処理について、はじめに、フォーカス操作装置３のＣＰＵ３４で行うソフトウェア処理を説明する。図２は実施例１におけるＣＰＵ３４で行う全体処理のフローチャートである。
【００２０】
Ｓ１０１では、フォーカス操作装置を識別するＩＤ（同定情報）である操作装置ＩＤをレンズ装置１へ送信する。操作装置ＩＤは固定値であり、あらかじめＣＰＵ３４に記憶されている。レンズ装置１はこの操作装置ＩＤにより、フォーカス操作装置３の上記回転軸及び全域操作回転角を把握することができる。
【００２１】
Ｓ１０２、Ｓ１０３では、フォーカスノブ位置検出器３１で検出したフォーカスノブ位置を取得し、レンズ装置１に送信する。Ｓ１０４、Ｓ１０５では、カーブモード選択スイッチ３２の状態を検出しながら、状態が変化したときにのみカーブモードをレンズ装置１に送信する。
【００２２】
続いて、レンズ装置１のＣＰＵ１８で行うソフトウェア処理について説明する。図３は実施例１におけるＣＰＵ１８で行う全体処理のフローチャートである。
【００２３】
はじめに、Ｓ２０１で指標表示情報の更新フラグをＯＮにする。指標表示情報の更新フラグとは、後述する処理により指標表示情報をカメラ２に送信するか否かを判断するフラグであり、電源投入直後は必ず１回指標表示情報をカメラ２に送信するため、指標表示情報の更新フラグをＯＮにする。Ｓ２０２ではフォーカスリング位置検出器１２からフォーカスリング位置を取得する。Ｓ２０３では、取得したフォーカスリング位置と、ＣＰＵ１８にあらかじめ記憶されているフォーカスリング位置と光学物理量である物体距離とを変換するルックアップテーブルと、を用いて物体距離を算出する。このルックアップテーブルは、フォーカスリング位置と物体距離との対応関係を示す１つ以上の指標情報の組を有する指標表示情報を取得する基礎となる。
【００２４】
続いて、Ｓ２０４ではフォーカスクラッチスイッチ１５の状態がサーボ状態か、マニュアル状態かを判断し、サーボ状態の場合はＳ２０５へ、マニュアル状態の場合はＳ２０９に進む。サーボ状態の場合、まずＳ２０５で、有効な操作部材であるフォーカスノブ３０を有するフォーカス操作装置３からの受信処理を行う。ここで行う受信処理は後で詳細に説明する。Ｓ２０６、Ｓ２０７では、後述するＳ３１３で算出するフォーカス指令位置と、Ｓ２０２で取得したフォーカスリング位置が一致するように駆動信号を生成し、フォーカスモータ駆動回路１６に出力する。なお、ここで行う駆動信号の生成は一般的なサーボ制御演算のため説明は省略する。一方、Ｓ２０４でマニュアル状態の場合は、Ｓ２０８に進み、Ｓ２０２で取得した、有効な操作部材であるフォーカスリングの位置をフォーカス操作位置として更新する。Ｓ２０９では、Ｓ２０３で算出した物体距離、及び、Ｓ２０５またはＳ２０８で更新したフォーカス操作位置をカメラ２へ送信する。
【００２５】
Ｓ２１０、Ｓ２１１では、フォーカスクラッチスイッチ１５の状態が変化したかを判断し、変化していれば指標表示情報の更新フラグをＯＮにする。Ｓ２１２では、指標表示情報の更新フラグがＯＮであるかを判断し、ＯＮである場合には、Ｓ２１３〜２１５に進み、指標表示情報の更新フラグをＯＦＦ、指標表示情報の生成、及び、カメラ２への指標表示情報の送信を行う。Ｓ２１４で生成する指標表示情報を図４の表に示す。指標表示情報は、操作軸、全指標数、及び、各指標情報で構成され、フォーカスクラッチスイッチ１５の状態、フォーカス操作装置３の接続状態、フォーカス操作装置ＩＤ、カーブモードにより、生成する値を切り替える。操作軸は、フォーカス操作部材の回転軸を示すものであり、フォーカスリング１１でフォーカスを操作する場合には、「光軸方向」とし、フォーカスノブ３０でフォーカスを操作する場合は、操作軸を、光軸に対し垂直かつ水平面に平行な軸を示す「横方向」とする。指標情報は操作回転位置とそれに対応する物体距離の２つの値を組み合わせた情報として定義し、全指標数はこの指標情報が幾つあるかを示す値である。なお、上記で示した指標表示情報は１例であり、例えば、操作軸を含まずに、全指標数及び各指標情報だけでも良い。このように、レンズ装置１のＣＰＵ１８は、光学物理量に対応する操作位置の対応関係を切り替える操作位置の変更手段を有し、これにより、決定した対応関係に基づいて、指標情報の１種類以上の組を有する指標表示情報を生成する。
【００２６】
このために、レンズ装置１のＣＰＵ１８は、１つ以上の光学物理量を記憶する記憶手段と、操作装置３から、１つ以上の光学物理量に対応する１つ以上の操作位置を取得する操作位置取得手段を有する。そして、指標表示情報の上記生成手段は、記憶手段に前に記憶した１つ以上の光学物理量と、上記操作位置取得手段で取得した１つ以上の操作位置に基づいて、１つ以上の指標情報の組を含む指標表示情報を生成する。上記ルックアップテーブルは、後述のフォーカス指令位置を用いることで、フォーカスノブ位置と光学物理量である物体距離との対応関係を示す指標情報を取得する基礎ともなる。また、本実施例では、上述した様に、前記操作位置取得手段は、異なるフォーカス操作装置に応じて、異なる手法を用いてフォーカス操作部材の操作位置を取得し、フォーカス操作部材は、制限された可動範囲を有する。
【００２７】
続いて、Ｓ２０５で行う受信処理について詳細に説明する。図５はＳ２０５の受信処理のフローチャートである。
【００２８】
Ｓ３０１〜Ｓ３０４では、フォーカス操作装置３から情報を受信したかどうかを判断し、受信すればフォーカス操作装置の接続状態を接続状態とする。一定時間情報が受信されない場合は、フォーカス操作装置の接続状態を未接続状態とする。Ｓ３０５、Ｓ３０６では、Ｓ３０１〜Ｓ３０４で決定したフォーカス操作装置の接続状態が変化したかどうかを判断し、変化した場合には、指標表示情報の更新フラグをＯＮにする。Ｓ３０７、Ｓ３０８では、フォーカス操作装置３からフォーカス操作装置ＩＤを受信し、かつ、そのフォーカス操作装置ＩＤが変化したかどうかを判断し、変化した場合には、指標表示情報の更新フラグをＯＮにする。同様に、Ｓ３０９、Ｓ３１０では、フォーカス操作装置３からカーブモードを受信し、かつ、そのカーブモードが変化しているかを判断し、変化した場合には、指標表示情報の更新フラグをＯＮにする。
【００２９】
Ｓ３１１ではフォーカス操作装置３からフォーカスノブ位置を受信したかを判断し、受信した場合には、Ｓ３１２でフォーカスノブ位置をそのままフォーカス操作位置として更新する。Ｓ３１３では、最後に受信したフォーカス操作装置ＩＤ、及び、カーブモード、フォーカスノブ位置からフォーカス指令位置を算出する。図６は、フォーカス操作装置ＩＤ、カーブモードごとのフォーカス操作位置（フォーカスノブ位置）とフォーカス指令位置の関係を示したもので、フォーカス操作装置ＩＤ、カーブモード、フォーカスノブ位置などを用いてフォーカス指令位置を算出する。
【００３０】
次に、カメラ２のＣＰＵ２５で行うソフトウェア処理について説明する。図７は実施例１におけるＣＰＵ２５で行うソフトウェア処理のフローチャートである。はじめに、Ｓ４０１で、レンズ装置１から指標表示情報を受信したかどうかを判断する。受信していれば、Ｓ４０２で受信した指標表示情報を用いて指標描画情報を生成し、表示処理部２３に出力する。同様に、Ｓ４０２、Ｓ４０３では現在のフォーカス操作位置を受信していればフォーカス操作位置の描画情報を生成、出力し、Ｓ４０５、Ｓ４０６では物体距離を受信していれば物体距離の描画情報を生成、出力する。
【００３１】
ここで、カメラ２のビューファインダー２１に表示する指標表示について説明する。図８（ａ）は、レンズ装置１のフォーカスクラッチがマニュアル状態の場合の指標に関する表示を示したものである。図中の灰色の三角で示した図形は、現在のフォーカス操作位置を示す図形で、Ｓ４０４で生成したフォーカス操作位置の描画情報に相当する。また、四角で囲まれた距離表示は、現在の物体距離を示しており、Ｓ４０６で生成した物体距離の描画情報に相当する。それ以外の表示は現在有効なフォーカス操作部材の指標を示しており、Ｓ４０２で生成した指標描画情報に相当する。図８（ａ）は、図４において、マニュアル状態で、現在の物体距離が１.４５ｍで、現在のフォーカス操作位置がマイナス側の角度にある場合を示す。
【００３２】
図８（ｂ）は、レンズ装置１のフォーカスクラッチがサーボ状態で、かつ、フォーカス操作装置ＩＤが「０２」の場合の指標に関する表示の１例を示したものである。図８と同様に、灰色の三角で示した図形はフォーカス操作位置描画情報に、四角で囲まれた距離表示は物体距離描画情報に、それ以外は指標描画情報に相当する。なお、表示する指標の形状を図８のものと変えている。これは、操作軸が光軸に対し垂直かつ水平面に平行な軸であることを視覚的に分かり易くするためのものであり、レンズ装置１から受信した指標表示情報に含まれる操作軸によって表示方法を切り替えている。図８（ｂ）は、図４において、サーボ状態で、標準モードで、現在の物体距離が３.２５ｍで、現在のフォーカス操作位置（フォーカスノブ位置）が−４５°程度の角度にある場合を示す。
【００３３】
以上のように、レンズ装置１は、光学物理量に対応するフォーカス操作位置の関係を切り替える上記操作位置変更手段を有し、切り替えられた対応関係に基づいて、レンズ装置１の上記指標情報生成手段は、１つ以上の指標情報の組を生成する。カメラ２は、１つ以上の指標情報の組に基づいて描画情報を生成する指標描画情報生成手段と、描画情報に基づいて表示を行う表示手段を有する。指標描画情報生成手段は、指標情報に含まれる光学物理量に操作するための操作位置を、図８に示すように操作者が視覚的に認識できるように、描画情報を生成する。
【００３４】
一方、レンズ装置１がフォーカス操作装置と接続していない場合、図４に示すように指標表示情報の全指標数は０になる。そのため、このときは、例えば、フォーカス操作の描画情報、及び、指標描画情報に相当する表示は行わず、物体距離の描画情報に相当する表示のみ行う。なお、レンズ装置１の外部の表示装置であるビューファインダー２１には図８に示した指標表示だけでなく、レンズ装置１を通って撮像素子２０に結像した映像も表示され、操作者は映像と指標表示とを同一表示部材で見ることができる。
【００３５】
本実施例の効果について説明する。まず、可動光学素子の位置と操作部材（フォーカスリングやフォーカスノブ）の操作位置との対応関係が複数種類ある場合においても、所望の光学素子の位置にするためにどのくらい操作すればよいかを視覚的に認識することができる。また、本実施例では、フォーカス操作部材やカーブモードなどに応じて指標の表示を切り替えいている。そのため、どのようなフォーカス操作形態や設定でも、所望の物体距離にするためにどのくらい操作すればよいかを把握することができ、瞬時ないし迅速に所望の物体距離まで操作できる。また、ビューファインダーに、撮影している映像と同一の画面に指標を表示している。そのため、操作者は撮影している映像を確認しながら、大きく視線を動かすことなく、所望の物体距離にするためにどのくらい操作すればよいかを把握することができる。さらに、本実施例のように指標表示情報に回転軸情報も加えることにより、操作部材の回転軸に合わせて、表示する指標の形状を切り替えることが可能になり、操作する方向も把握しやすくなる。
【００３６】
ところで、本実施例はフォーカスを操作する操作部材と物体距離の関係を示す指標について述べてきたが、これに限らず、レンズ装置における可動光学素子を操作するものであれば、同じように指標を表示し、同様の効果を得ることができる。例えば、ズームを操作する操作部材の位置と焦点距離との関係を示す指標を表示しても良いし、アイリスを操作する操作部材の位置とＦナンバーとの関係を示す指標を表示しても良い。つまり、可動光学素子は、フォーカスレンズの他に、ズームレンズ、アイリスなどでもあり得る。
【００３７】
また、本実施例では映像と同一画面に指標を表示しているが、システム構成を図９のようにし、指標を表示する表示装置を、カメラではなくタブレットやスマートフォン等の外部表示装置４にしても良い。この場合、映像と指標を同一の画面で見られるという効果はなくなるが、所望の物体距離にするためにどのくらい操作すればよいかを把握できる、という効果は同様に得られる。外部表示装置４は、通信部４２、ＣＰＵ４３、カメラ２の表示処理部２３に相当する表示処理部４１、カメラ２のビューファインダー２１に相当する表示部４０を有する。
【００３８】
（実施例２）
本実施例の構成は図１に示す実施例１と同じ構成のため、その説明は省略する。はじめに、フォーカス操作装置３のＣＰＵ３４で行うソフトウェア処理について説明する。図１０は実施例２におけるＣＰＵ３４で行うソフトウェア処理のフローチャートである。
【００３９】
Ｓ１１１では、指標表示情報の更新送信フラグをＯＮにする。指標表示情報の更新送信フラグとは、後述する処理により指標表示情報の更新コマンドをレンズ装置１に送信するか否かを判断するフラグである。電源投入直後は必ず１回指標表示情報の更新コマンドをレンズ装置１に送信するため、指標表示情報の更新送信フラグをＯＮにする。
【００４０】
Ｓ１０２でフォーカスノブ位置を取得した後、Ｓ１１２でこのフォーカスノブ位置を用いてフォーカス相対指令位置を算出する。フォーカス相対指令位置とは、至近端の指令位置を０、無限端の指令位置を１０００としたときの正規化指令位置と定義する。図１１はフォーカスノブ位置とフォーカス相対指令位置の関係を示しており、カーブモードとフォーカスノブ位置を用いて、フォーカス相対指令位置を算出する。Ｓ１１３では、Ｓ１０２とＳ１１２で取得、算出したフォーカスノブ位置、及び、フォーカス相対指令位置をレンズ装置１に送信する。
【００４１】
Ｓ１０４、Ｓ１１４ではカーブモードが変化したかどうかを判断し、変化していれば指標表示情報の更新送信フラグをＯＮにする。
【００４２】
Ｓ１１５では、指標表示情報の更新送信フラグがＯＮであるかを判断し、ＯＮである場合には、Ｓ１１６で一旦、指標表示情報の更新送信フラグをＯＦＦにした後、Ｓ１１７でレンズ装置１に指標表示情報の更新コマンドを送信する。その後Ｓ１１８で、レンズ装置１から指標操作位置の確認情報が受信されるのを待つ。ここで受信する指標操作位置の確認情報とは、全指標数と、全指標数分のフォーカス相対指令位置からなる情報である。Ｓ１１９では、この指標操作位置の確認情報をもとに、フォーカス相対指令位置に対応するフォーカスノブ位置を指標ごとに算出し、算出した各指標のフォーカスノブ位置をまとめて指標操作位置の返信情報とする。なお、指標操作位置の返信情報にはフォーカス操作装置３の回転軸を示す情報も付加する。フォーカス相対指令位置からフォーカスノブ位置への算出は、Ｓ１１２で行った処理の逆であり、逆の演算を行うことにより算出する。Ｓ１２０では、Ｓ１１９で生成した指標操作位置の返信情報をレンズ装置１に送信する。図１２は、Ｓ１１７〜Ｓ１２０までにレンズ装置１とフォーカス操作装置３との間でやりとりする情報を表したものである。このように、指標位置のフォーカス相対指令位置はレンズ装置１が決め、それに対応するフォーカスノブ位置をフォーカス操作装置３が返信するようする。
【００４３】
続いて、レンズ装置１のＣＰＵ１８で行うソフトウェア処理について説明する。実施例２におけるＣＰＵ１８で行うソフトウェア処理のフローチャートは、実施例１と同様の図３のフローチャートである。ただし、Ｓ２１４で行う指標表示情報の生成は、図１３のようにフォーカスクラッチスイッチ１５の状態、フォーカス操作装置の接続状態によってのみ切り替える。なお、図１３の※印は、接続するフォーカス操作装置３やカーブモード等により可変する値であり、後述するＳ３２５で生成される。
【００４４】
次に、Ｓ２０５で行う受信処理について詳細に説明する。図１４はＳ２０５の受信処理のフローチャートである。Ｓ３０１〜Ｓ３０６は実施例１と同様のため、説明を省略する。Ｓ３２１では、フォーカス操作装置３から指標表示情報の更新コマンドを受信したかどうかを判断し、受信していればＳ３２２〜Ｓ３２５に進み、受信していなければＳ３１１に進む。Ｓ３２２、Ｓ３２３では、指標表示情報の更新フラグをＯＮにし、フォーカス操作装置３に指標操作位置の確認情報を送信する。指標操作位置の確認情報とは、前述したように全指標数、及び、各指標のフォーカス相対指令位置である。全指標数は図１３に示すようにサーボ状態で表示する指標数であらかじめ記憶されている固定値とする。また、各指標のフォーカス相対指令位置は、図１３のサーボ状態の各指標情報に含まれる物体距離に対応するフォーカス相対指令位置であり、これらの値もあらかじめ記憶されている固定値とする。その後、Ｓ３２４でフォーカス操作装置３から指標操作位置の返信情報を受信するのを待ち、受信したらＳ３２５でサーボ状態指標情報を生成する。具体的には、受信した指標操作位置の返信情報から回転軸、指標ごとのフォーカス操作位置を抽出し、図１３の※印に値を設定する。
【００４５】
Ｓ３１１、Ｓ３１２では実施例１と同様にフォーカスノブ位置の受信に応じて、フォーカス操作位置を更新する。Ｓ３２６、Ｓ３２７ではフォーカス操作装置３からフォーカス相対指令位置に応じて、フォーカス指令位置を算出する。ここでのフォーカス指令位置の算出は、フォーカス相対指令位置が０、１０００のときに、フォーカス指令位置がそれぞれ至近端、無限端のフォーカスリング位置になるように直線変換をするだけである。カメラ２のＣＰＵ２５で行うソフトウェア処理については実施例１と同様のため説明を省略する。
【００４６】
本実施例の効果について説明する。本実施例では、実施例１とは異なり、図１３に示すように異なるフォーカス操作装置ごとに指標表示情報を持つ必要がなくなる。なぜなら、フォーカス相対指令位置（どの様なフォーカス操作装置でも解読できる）をレンズ装置から、種類を問わないフォーカス操作装置に送り、フォーカス操作装置ではそれに対応するフォーカスノブ位置を指標ごとに算出し、レンズ装置に送り返すからである。このように、本実施例では、前記操作位置取得手段は、異なるフォーカス操作装置に対して、同様の手法を用いてフォーカス部材の操作位置を取得する。そのため、レンズ装置１が想定していない新しいフォーカス操作装置が接続された場合でも、適切に指標表示を行うことができ、操作者は所望の物体距離に操作しやすくなる。
【００４７】
（実施例３）
図１５は、本発明を適用できる実施例３の撮影装置の構成を示したものである。実施例１と同じ構成については説明を省略する。
【００４８】
はじめに、レンズ装置１について説明する。フォーカスリング１１は、実施例１とは異なり、フォーカスレンズ群１０と機構的に切り離されており、フォーカスリング１１の回転位置とフォーカスレンズ群１０の位置とは１対１とはならない。また、本実施例ではフォーカスリング１１の回転範囲を規制する規制端や突起部はなく、無限に回転できるものとし、フォーカスリング位置検出器１２は−１８０°〜＋１８０°まで検出できるものとする。フォーカスレンズ群１０の位置はフォーカスレンズ位置検出器１９で検出する。また、フォーカスモータ１４は直接フォーカスレンズ群１０を光軸方向に駆動する。実施例１で構成していたフォーカスクラッチ１３とフォーカスクラッチスイッチ１５は構成しない。
【００４９】
カメラ２については構成が全て実施例１と同じであるため説明は省略する。フォーカス操作装置３について説明する。本実施例では、フォーカスノブ３０はフォーカスリング１１と同様に回転範囲を規制する規制端がなく、無限に回転できる構造であるものとし、フォーカスノブ位置検出器３１は−１８０°〜＋１８０°まで検出できるものとする。全域回転角変更スイッチ３５は、操作者が全域回転角を３４０°、または、９００°に切り替えることができるスイッチであり、スイッチ位置はＣＰＵ３４に入力される。
【００５０】
ここで、フォーカス操作装置３のＣＰＵ３４で行うソフトウェア処理について説明する。図１６は実施例３におけるＣＰＵ３４で行うソフトウェア処理のフローチャートである。
【００５１】
Ｓ１１１では、指標表示情報の更新送信フラグをＯＮにし、Ｓ１０２でフォーカスノブ位置を取得する。Ｓ１２１では、全域回転角変更スイッチ３５による全域回転角設定に応じて、フォーカス操作位置Ｘの最大値θｍａｘ、最小値θｍｉｎを設定する。具体的には、全域回転角設定が３４０°の場合は、θｍａｘ＝＋１７０°、θｍｉｎ＝−１７０°にし、全域回転角設定が９００°の場合は、θｍａｘ＝＋４５０°、θｍｉｎ＝−４５０°にする。
【００５２】
続いて、Ｓ１２２では、フォーカスノブ変化量Δθを算出する。フォーカスノブ変化量Δθは、前回のＳ１２２で取得したフォーカスノブ位置と、今回のＳ１２２で取得したフォーカスノブ位置との差である。なお、初めてＳ１２２を実行するときのみ、Ｓ１０２で取得したフォーカスノブ位置と、今回のＳ１２２で取得したフォーカスノブ位置との差とする。Ｓ１２３では、すでに取得、または、算出されたフォーカスノブ位置θにＳ１２２で算出したフォーカスノブ変化量Δθを加えることで、新たなフォーカスノブ位置にする。Ｓ１２４〜Ｓ１２６では、Ｓ１２３で算出したフォーカスノブ位置θを、全域回転角設定に応じて決まるフォーカス操作位置の最大値θｍａｘ、最小値θｍｉｎで制限するようにする。Ｓ１１２、Ｓ１１３では、実施例１と同様に、フォーカス指令位置を算出し、フォーカスノブ位置、及び、フォーカス指令位置をレンズ装置１に送信する。
【００５３】
Ｓ１２７では、全域回転角設定が変化したかどうかを判断し、変化した場合、指標表示情報の更新送信フラグをＯＮにし、さらにＳ１２１と同様にフォーカス操作位置の最大値θｍａｘ、最小値θｍｉｎを設定する。
【００５４】
次に、レンズ装置１のＣＰＵ１８で行うソフトウェア処理について説明する。図１７は実施例３におけるＣＰＵ１８で行うソフトウェア処理のフローチャートである。Ｓ２２１では、フォーカスレンズ位置検出器１９からフォーカスレンズ位置を取得する。Ｓ２０３では、Ｓ２２１で取得したフォーカスレンズ位置から物体距離を算出する。そして、Ｓ２０５の受信処理を実行した後に、Ｓ２２２では、フォーカス操作装置３との接続状態が接続状態か、未接続状態かを判断し、未接続状態の場合はＳ２２３に進む。
【００５５】
Ｓ２２３〜Ｓ２２７では、Ｓ１２２〜Ｓ１２６と同様にフォーカスリング位置を算出する。なお、ここで用いるフォーカスリング位置の最大値φｍａｘと最小値φｍｉｎは固定値であり、あらかじめＣＰＵ１８に記憶されている。Ｓ２２８では、ここまでに算出したフォーカスリング位置をそのままフォーカス操作位置とし、Ｓ２２９でフォーカスリング位置を用いて、フォーカス指令位置を算出する。ここでのフォーカス指令位置の算出は、フォーカスリング位置がφｍｉｎ、φｍａｘのときに、フォーカス指令位置がそれぞれ至近端、無限端のフォーカスリング位置になるように直線変換をするだけである。
【００５６】
Ｓ２０６〜Ｓ２０９、及び、Ｓ２１２〜Ｓ２１５は実施例１と同様であり、Ｓ２３０では、フォーカス操作装置との接続状態が変化したかどうかを判断し、変化した場合、指標表示情報の更新送信フラグをＯＮにする。
【００５７】
Ｓ２０５で行う受信処理は実施例１と同様のため説明は省略する。また、カメラ２のＣＰＵ２５で行うソフトウェア処理については実施例１と同様のため説明を省略する。
【００５８】
本実施例では、フォーカスを操作する操作部材であるフォーカスリング１１及びフォーカスノブ３０の構造を、無限の可動範囲を有する回転規制端のない構造としたときの例について説明した。本実施例では、Ｓ１２２〜Ｓ１２６やＳ２０６〜Ｓ２０９に示すように、最大値や最小値でフォーカス操作位置をリミットしている。そのため、フォーカス操作部材の絶対位置と、ソフトウェア上で認識しているフォーカス操作位置はずれてしまう。ただし、この場合でも、現在の操作部材の操作位置と、特定の物体距離までの操作位置と、の操作変化量を認識できるように、図８のように表示することが可能になる。つまり、フォーカス操作部材が回転規制端のない構造であったとしても、本実施例のような処理を行うことで、所望の物体距離にどのくらい操作すればよいかを把握することが可能になる。つまり、算出したフォーカスノブ位置θを、全域回転角設定に応じて決まる最大値θｍａｘ、最小値θｍｉｎで制限し、フォーカスリング位置を最大値φｍａｘ、最小値φｍｉｎで制限している。したがって、所望の物体距離にどのくらい操作すればよいかを把握可能になる。ここでは、最大値φｍａｘ以上のフォーカスリング位置は最大値φｍａｘとして解釈し、最小値φｍｉｎ以下のフォーカスリング位置は最小値φｍｉｎとして解釈する。前記指標情報生成手段は、全域設定に応じて決まる最大値と最小値で制限してフォーカス操作部材の操作位置を把握する。
【符号の説明】
【００５９】
１  レンズ装置
３  フォーカス操作装置（操作装置）
１０  フォーカスレンズ群（可動光学素子）
１１  フォーカスリング（操作部材）
１２  フォーカスリング位置検出器（検出手段）
１８  ＣＰＵ（指標情報生成手段）
３０  フォーカスノブ（操作部材）
３１  フォーカスノブ位置検出器（検出手段）
【図１】
2019095617.tif 000003
【図２】
2019095617.tif 000004
【図３】
2019095617.tif 000005
【図４】
2019095617.tif 000006
【図５】
2019095617.tif 000007
【図６】
2019095617.tif 000008
【図７】
2019095617.tif 000009
【図８】
2019095617.tif 000010
【図９】
2019095617.tif 000011
【図１０】
2019095617.tif 000012
【図１１】
2019095617.tif 000013
【図１２】
2019095617.tif 000014
【図１３】
2019095617.tif 000015
【図１４】
2019095617.tif 000016
【図１５】
2019095617.tif 000017
【図１６】
2019095617.tif 000018
【図１７】
2019095617.tif 000019